(57)【要約】【課題】  面内の分解能が高く、しかも面外における高さや屈折率分布に対する分解能が高く、測定範囲の広い簡易な測定や観察を可能とするレーザー走査顕微鏡装置を提供する。【解決手段】  相互に異なる波長の２つのレーザー光を合成しつつ合成光学系１が出射し、音響光学素子３が各レーザー光を２つの周波数の光にそれぞれ変調して、相互に異なる方向に出射する。この光を２次元走査デバイス６が２次元走査し、この光の一部をビームスプリッター７で分離し、受光素子８１、８３が光電変換して各々のビート信号を送り出す。合成光学系１からの光を瞳伝達レンズ系５、１０で近接させつつ、対象物Ｓに対物レンズ１７が出射し、対象物Ｓからの反射光を受光素子９１、９３が光電変換して各々のビート信号を送り出す。受光素子８１、８３、９１、９３からのビート信号に基づいて得られた位相差を信号比較器１５が検出し、データ処理部１６が対象物Ｓの情報を得る。【選択図】図１
2014071432.tif 000002
【特許請求の範囲】
【請求項１】
相互に異なる波長の少なくとも２つのレーザー光を合成しつつ出射する合成光学系と、
前記各レーザー光を相互に異なる２つの周波数の光にそれぞれ変調し、かつ２つの周波数を有した光を相互に異なる方向に出射する光変調器と、
光変調器からの光を１次元走査もしくは２次元走査する走査光学素子と、
走査光学素子からの光の一部を光路から分離するビームスプリッターと、
前記ビームスプリッターで分離された各々の光を受光し、光電変換して各々のビート信号を送り出す第１の受光素子群と、
瞳位置を有し、前記合成光学系からの光を対象物に出射する対物レンズと、
前記光変調器で相互に異なる方向に出射された各々の光を対象物上で近接させる瞳伝達レンズ系と、
対象物からの反射光あるいは透過光を受光し、各々の光を光電変換して各々のビート信号を送り出す第２の受光素子群と、
二つの受光素子群の対応するいずれかの波長に該当する受光素子からのビート信号に基づいて得られた位相同士の位相差を検出する位相比較器と、
前記位相比較器の位相情報を取得して得たデータに基づき対象物の情報を得るデータ処理部と、
を含むことを特徴とするレーザー走査顕微鏡装置。
【請求項２】
対象物からの少なくとも２波長の反射光を別々の光路に分離する分離光学素子を有し、
対象物からの反射光を前記ビームスプリッターで反射し、該分離光学素子が分離した各々の光を第２の受光素子群が受光することを特徴とする請求項１記載のレーザー走査顕微鏡装置。
【請求項３】
対象物からの少なくとも２波長の透過光を別々の光路に分離する分離光学素子を有し、
該分離光学素子が分離した各々の透過光を第２の受光素子群が受光することを特徴とする請求項１記載のレーザー走査顕微鏡装置。
【請求項４】
前記位相比較器が、二つの受光素子群の対応するいずれかの波長に該当する受光素子それぞれの２つの周波数差に相当するビート信号の位相と、前記対象物がないかあるいは前記対象物があっても影響がないほど前記対物レンズをデフォーカスした状態での位相と、の位相差を検出することを特徴とする請求項１から３のいずれかに記載のレーザー走査顕微鏡装置。
【請求項５】
前記二つの受光素子群を１つの受光素子群で構成し、少なくとも２波長のレーザー光を出射する合成光学系から相互に異なるタイミングで２波長のレーザー光を出射し、波長ごとの位相情報によりデータを処理することを特徴とする請求項１から３のいずれかに記載のレーザー走査顕微鏡装置。
【請求項６】
前記光変調器は、前記合成光学系から出射されたレーザー光を入射させる音響光学素子と該音響光学素子にキャリア交流信号（ｆｃ）と正弦波信号（ｆｍ）を印加する信号発生器とを含むことを特徴とする請求項１から５のいずれかに記載のレーザー走査顕微鏡装置。
【請求項７】
前記光変調器は、前記合成光学系から出射されたレーザー光を入射させる空間変調器と該空間変調器に振幅または位相情報として正弦波状の格子縞を書き込み、前記格子縞をキャリア交流信号（ｆｃ）と正弦波信号（ｆｍ）を印加する信号発生器に基づき一定方向に移動させることを特徴とする請求項１から５のいずれかに記載のレーザー走査顕微鏡装置。
【請求項８】
前記走査光学素子は、ガルバノミラー、レゾナントミラーの１次元走査素子、２つの１次元走査デバイスと瞳伝達レンズ系よりなる２次元走査光学系、あるいは、１次元または２次元のマイクロミラーデバイスとされることを特徴とする請求項１から７のいずれかに記載のレーザー走査顕微鏡装置。
【請求項９】
前記受光素子群を構成する受光素子は、前記光変調器で異なる方向に出射された光の分離方向に垂直な方向に少なくとも２分割された分割受光素子とされることを特徴とする請求項１から８のいずれかに記載のレーザー走査顕微鏡装置。
【請求項１０】
前記ビート信号は、前記受光素子の２分割以上された受光素子のすべての受光素子の和信号、または２分割以上された分割素子の対応する位置にある受光素子同士の差信号より取得することを特徴とする請求項１から９のいずれかに記載のレーザー走査顕微鏡装置。
【発明の詳細な説明】
【技術分野】
【０００１】
本発明は、レーザー光の走査によって測定対象物の表面形状のプロファイルや測定対象物である細胞等の表面状態の計測および観察を高速に行うレーザー走査顕微鏡装置に関するものである。
【背景技術】
【０００２】
微小な高さを高精度に測定するには、光へテロダイン干渉法がよく知られている。これは、周波数の異なる２つのレーザー光を干渉させ、その差の周波数のビート信号を作成し、ビート信号の位相変化を波長の1/500程度の分解能で検出して、表面の高さ方向の変化を計測するものである。このようなものとして、下記特許文献１の特開昭５９−２１４７０６号公報が具体的に知られているが、この特許文献１では、音響光学素子を用いて異なる波長からなる２つのビームを隣接して発生させ、これら２ビーム間の位相変化を検出し、その位相変化を累積して表面プロファイルを得る方法が開示されている。
【０００３】
ただし、この特許文献１は、ビームプロファイルよりも僅かに大きくなるように２つのビームを近接させ、２つのビームプロファイル内の平均的な位相差をヘテロダイン検波で検出して、順次積分することにより、凹凸情報を得るものであった。従って、この特許文献１によれば、半導体ウェハーのようなフラットであることが前提となるような測定対象物に対して、その凸凹情報を計測することは出来たが、ビームプロファイル内の情報を引き出すことはできず、面内であるビームプロファイル内の分解能を高くすることは出来なかった。
【０００４】
しかしながら、従来のヘテロダイン検波を用いた測定器では、半導体ウェハーのようにフラットに近い物の表面の僅かなゆがみ等の検出を行っていたので、問題はなかったが、この様なヘテロダイン検波を行った場合には、波長の整数倍の不確定さが存在していた。すなわち、測定された位相差が２πの整数倍であるかどうかが判定できず、位相とびの問題が発生する欠点があった。
【０００５】
この欠点を回避するための方法として、２つの相互に異なる波長で位相差を検出（２波長位相シフト法）して、検出範囲の拡大を図る方法が、たとえば、「Ｔｗｏ ｗａｖｅｌｅｎｇｔｈ ｌａｓｅｒ ｄｉｏｄｅ ｉｎｔｅｒｆｅｒｏｍｅｔｒｙ ｔｈａｔ ｕｓｅｓ ｐｈａｓｅｓｈｉｆｔｉｎｇ ｔｅｃｈｎｉｑｕｅｓ、Ｏｐｔｉｃｓ Ｌｅｔｅｒｓ、ｖｏｌ．１６、Ｎ０．１９ ｐ１５２３〜１５２５ ｂｙ Ｉｓｈｉｉ ａｎｄ ｏｎｏｄｅｒａ」という文献に示されている。
【０００６】
なお、通常の可視光を含む電磁波の分解能はいわゆるアッべの理論の限界により制限されている。この限界は、波動の有する回折現象の結果であり、越えることの出来ない理論限界とされていた。
【先行技術文献】
【特許文献】
【０００７】
【特許文献１】特開昭５９−２１４７０６号公報
【発明の概要】
【発明が解決しようとする課題】
【０００８】
つまり、従来のヘテロダイン検波を用いた光測定器は、半導体ウェハーのようなフラットに近い対象物を主な測定対象としていた。これに対して、面内の分解能を高くするには、電子顕微鏡やＡＦＭ等の近接場を用いざるを得なかった。しかし、上記のように２つの相互に異なる波長で、位相飛びを生じさせずに位相差を検出できるような装置は従来無く、また、電子顕微鏡は、特に生物、細胞等に対しては、加工処理する必要性があるので、生きたままの観察、測定は不可能であった。他方、ＡＦＭは、処理速度が十分でないことから、リアルタイムに状態の変化を見ることが出来ないので、生物、細胞の観測には不向きであり、また、対象物に対して、プローブを近接させなくてはならず、使い勝手も悪かった。
【０００９】
本発明は上記背景に鑑みてなされたもので、面内の分解能が高く、しかも面外における高さや屈折率分布に対する分解能が高く、さらに測定範囲の広い簡易な測定や観察を可能とするレーザー走査顕微鏡装置を提供することを目的とする。
【課題を解決するための手段】
【００１０】
上記目的を達成させるために、本発明は、相互に異なる波長の少なくとも２つのレーザー光を合成しつつ出射する合成光学系と、
前記各レーザー光を相互に異なる２つの周波数の光にそれぞれ変調し、かつ２つの周波数を有した光を相互に異なる方向に出射する光変調器と、
光変調器からの光を１次元走査もしくは２次元走査する走査光学素子と、
走査光学素子からの光の一部を光路から分離するビームスプリッターと、
前記ビームスプリッターで分離された各々の光を受光し、光電変換して各々のビート信号を送り出す第１の受光素子群と、
瞳位置を有し、前記合成光学系からの光を対象物に出射する対物レンズと、
前記光変調器で相互に異なる方向に出射された各々の光を対象物上で近接させる瞳伝達レンズ系と、
対象物からの反射光あるいは透過光を受光し、各々の光を光電変換して各々のビート信号を送り出す第２の受光素子群と、
二つの受光素子群の対応するいずれかの波長に該当する受光素子からのビート信号に基づいて得られた位相同士の位相差を検出する位相比較器と、
前記位相比較器の位相情報を取得して得たデータに基づき対象物の情報を得るデータ処理部と、
を含むことを特徴とするレーザー走査顕微鏡装置とされるものである。
【００１１】
また、本発明においては、対象物からの少なくとも２波長の反射光を別々の光路に分離する分離光学素子を有し、対象物からの反射光を前記ビームスプリッターで反射し、該分離光学素子が分離した各々の光を第２の受光素子群が受光するものや、対象物からの少なくとも２波長の透過光を別々の光路に分離する分離光学素子を有し、該分離光学素子が分離した各々の透過光を第２の受光素子群が受光するものが好適である。
【００１２】
他方、本発明に係わる位相比較器が、二つの受光素子群の対応するいずれかの波長に該当する受光素子それぞれの２つの周波数差に相当するビート信号の位相と、前記対象物がないかあるいは前記対象物があっても影響がないほど前記対物レンズをデフォーカスした状態での位相と、の位相差を検出することが好適である。
【００１３】
また、本発明においては、前記二つの受光素子群を１つの受光素子群で構成し、少なくとも２波長のレーザー光を出射する合成光学系から相互に異なるタイミングで２波長のレーザー光を出射し、波長ごとの位相情報によりデータを処理するものが好適である。
【００１４】
この一方、本発明に係わる光変調器は、前記合成光学系から出射されたレーザー光を入射させる音響光学素子と該音響光学素子にキャリア交流信号（ｆｃ）と正弦波信号（ｆｍ）を印加する信号発生器とを含むことや、前記合成光学系から出射されたレーザー光を入射させる空間変調器と該空間変調器に振幅または位相情報として正弦波状の格子縞を書き込み、前記格子縞をキャリア交流信号（ｆｃ）と正弦波信号（ｆｍ）を印加する信号発生器に基づき一定方向に移動させることが好適である。
【００１５】
さらに、本発明に係わる走査光学素子は、ガルバノミラー、レゾナントミラーの１次元走査素子、２つの１次元走査デバイスと瞳伝達レンズ系よりなる２次元走査光学系、あるいは、１次元または２次元のマイクロミラーデバイスとされることが好適であり、本発明に係わる受光素子群を構成する受光素子は、前記光変調器で異なる方向に出射された光の分離方向に垂直な方向に少なくとも２分割された分割受光素子とされることが好適である。
また、本発明に係わるビート信号は、前記受光素子の２分割以上された受光素子のすべての受光素子の和信号、または、２分割以上された分割素子の対応する位置にある受光素子同士の差信号より取得することが好適である。
【００１６】
請求項に係る発明の作用を以下に説明する。
合成光学系から出射された相互に異なる波長の少なくとも２つのレーザー光を相互に異なる周波数の２つの光に変調させつつ相互に異なる方向に光変調器が出射する。つまり、周波数fcと周波数fmの電気信号で光変調器である例えば音響光学素子を駆動すると、周波数fcをキャリアとするＡＭ変調により、周波数fc+fmと周波数fc-fmを有する２つのビームが発生することから、少なくとも計４つのビームが存在するようになる。
【００１７】
例えば、周波数ｆcと周波数fmを適正に選ぶことにより、この音響光学素子より出射された光は、角度差の小さい各２つのビームとすることができる。この角度差を瞳伝達拡大レンズ系等の瞳伝達レンズ系により、２つのビームの角度差を著しく小さくして、走査光学素子に入射させる。このとき、音響光学素子の回折光出射面と走査光学素子の走査素子面とが、共役な配置となるようにする。
【００１８】
このようにすると、２次元走査光学系からの出射光は、角度差が小さい各２つのビームとなるが、おのおのが有する周波数はfc+fmとfc-fmのままであり、変化は無い。つまり、この２つのビームを変調周波数とは無関係な上記した１次元走査あるいは２次元走査する走査光学素子および瞳伝達レンズ系を介して、対物レンズに向けて出射することにより、対象物上を２つの近接したビームが走査することになる。この２つの近接したビームによるビート信号を、対象物が反射物体である場合には、音響光学素子とほぼ共役な位置に配置された受光素子により取得することができ、また、対象物が透過物体である場合には、ファーフィールドではあるが対象物からあまり離れていない位置に配置した受光素子により取得することができる。
【００１９】
また、このときのビート信号は2fmとなるが、これは、十数ＭＨｚと高いビート信号として、検出される。このビート信号と基準となる信号の位相θは、対象物の実質的な高さdや屈折率差nを反映している。すなわち、レーザー波長をλとすると、θ＝２πnd/λなる関係があるからである。
【００２０】
以上より、対象物が反射物体であれば表面のプロファイルが測定され、対象物が透過物体であれば、実質的な屈折率差あるいは厚みが測定される。しかしながら、このままではd=λごとに２πの周期関数となり、実質的な測定高さdはλ/2程度となってしまう。そこで、相互に異なる波長とされる相互に接近した２つの波長λ１の光と波長λ２の光を用い、θ１＝２πnd/λ１とθ２＝２πnd/λ２を測定すれば、下記の波長λにより実質的に測定した事と等価になる。
λ＝λ１λ２/|λ１−λ２|
【００２１】
この様にするには、少なくとも２つの接近した波長の光を、走査し変調するための光学系の光軸上に合成光学系にて合成し、レファランスとなる位相差を検知する光学系をビームスプリッターにて分離し、２つの波長を分離する素子にて分離した後に、受光素子により光を受光する。さらに、対象物からの反射光あるいは透過光の位相差を検知するには、対物レンズにて反射し、または透過した光を同様の２つの波長を分離する素子にて分離した後に、受光素子により光を受光する。このようにして、合波した２つの異なる波長を有する接近した光は、ヘテロダイン周波数2fmで対象物に同時に照射されるので、各々の波長で位相差（対象物の位相−レファランスの位相）を同時に検出することが出来る。
【００２２】
この一方、レファランスとなる位相は、周波数fmとして最初から与えられているので、ビームを分離する光変調器に加える電気信号の位相を一定にすることが出来る。これに対して、走査系や電気系の位相が走査によりずれる可能性があるので、基準となる位相は、対象物が存在しないか非常にデフォーカスさせた状態で走査して得た位相情報とすることが考えられる。このようにすれば、測定対象物である対象物の真の位相は、測定位相から上記基準位相を差し引いたものとすることが出来る。この場合には、ビームスプリッターで分離させ、２つの波長の光をさらに分離光学素子で分離し受光させる光学系が不要となるので、構造が簡素になる。
【００２３】
また、２つの波長の光を同時に照射する替わりに、一波長の光を照射し走査光学素子により走査して対象物から面の情報を取得した後に、波長を切り替えて同一の対象物を再度走査することで測定しても良い。この場合、２つの波長を合波させた後、レファランスの位相を取得する光学系や対象物の位相を検出する光学系は、２つの波長の光を分離する必要性がなくなるので、光学系はさらに簡素になる。但し、このような手段を用いた場合、同時測定ではないので、少なくとも一つの画像を取得するのに倍以上の時間を要することになり、多少リアルタイム性には欠けることになる。
【００２４】
他方、光変調器として空間変調器を採用した場合、この空間変調器に短冊状の正弦波格子を書き込み、これを高速で一方向に移動させることにより、格子縞のピッチがビームの分離距離となる。次々と格子を移動させることにより、位相が変調されたことに相当するので、格子縞で生じた±１次回折光は、変調周波数の２倍だけ周波数の異なる光とすることができる。この場合、書き込み格子のピッチが十分に大きければ、近接した２つのビームを作ることができて拡大光学系の拡大率を小さくできるので、光学系を小型にすることができる。
【００２５】
以上のような光学系と光変調器により、面外位相を非常に広く取得できるようになる。また、ビームの分離距離を著しく小さくすることにより、横の分解能も顕著に向上させることができ、高さ方向の分解能も波長の1/500程度に向上させることができる。
【００２６】
また、２つのビームは殆ど光路を共有化しているので、外部的な環境変化、振動等に著しく強いレーザー走査顕微鏡装置とすることができる。このように２つのビームが存在している場合、受光素子としてビームの分離方向に垂直な方向に２つ以上に分割されている受光素子を用いると、全受光素子の出力の和信号では、実効上、対物レンズで集光された２つのビームの分離度に応じた位相差のビーム径に相当する領域の積分値を与えるので、微分干渉顕微鏡とほぼ等価な分解能を与えることになる。
【００２７】
さらに分解能を高くするには、２分割以上された受光素子の隣り合った位置にある分割受光素子同士の差信号を取得することが考えられ、実効上、対物レンズで集光された２つのビームの分離度に応じた位相差の微分のビーム径に相当する領域の積分値を与える。この場合には、和信号と比較して、位相差の生じている部分のみが位相差に寄与するので、感度が著しく高くなる。従って、ビームの分離度に応じた分解能に匹敵する横分解能の向上が図れる。
【００２８】
これは、通常の微分干渉顕微鏡には見られない際立った特長となる。この結果、波長で支配されている横分解能よりもはるかに高い横分解を得ることが出来る。
【００２９】
以上をまとめると、高さや屈折率分布などの３次元情報を一度の２次元走査で極めて高い面内の分解能を有しかつ面外の分解能も非常に高く、検出範囲も広いレーザー走査顕微鏡装置を提供することができる。従って、生きたままの細胞やマイクロマシンなどの状態変化などの３次元計測が広い範囲で行えるなど、従来の２次元情報を取得し３次元方向に積算していくようなレーザー走査型共焦点顕微鏡などとは比較にならない大きな特徴となる。また、透過型にすれば、生物や細胞を生きたままかつ高い分解能で観察、計測できるので、細胞等を不活性化して計測する電子顕微鏡にはない大きな特徴となる。
【発明の効果】
【００３０】
上記に示したように、本発明のレーザー走査顕微鏡装置によれば、変調が可能な音響光学変調素子または空間変調器を光変調器として用い、さらに、僅かに異なる２波長以上のコヒーレント光を用いることにより、面外の検出位相範囲を大幅に拡大することができる。このことで、急峻なプロファイルを有する表面や透過物体の厚みや屈折率分布等を正確に捉えることができる。
【００３１】
したがって、細胞や微生物の状態変化や表面状態の過渡的な変化等を、高速に観察、計測することができる。また、既に製品化されている裸眼立体ディスプレーや偏光めがねを使用した３次元ディスプレー等を用いることにより、ビデオレートの３次元立体画像を表示することもできるので、教育や研究、医療において、有用な装置とすることができる。
【００３２】
他方、非常に近接したほぼ同一の行路を通る２つのビームを用いているので、外乱等の影響を受けにくい観察や測定ができる。また、受光素子を分割型とし、ビームを分離する方向に対して、暗線を有する少なくとも２分割以上の受光素子を用い、すべての受光素子の和演算または対応する受光素子間で、差演算をおこなってヘテロダイン検波することで、特に、差演算においては、極めて高い横分解能を得ることが可能となる。
【図面の簡単な説明】
【００３３】
【図１】本発明のレーザー走査顕微鏡装置に係る実施例１を示すブロック図である。
【図２】図１の対物レンズおよび測定対象物周辺部分を拡大して示す図である。
【図３】本発明のレーザー走査顕微鏡装置に係る実施例１による対象物における照射領域を表す説明図である。
【図４】本発明のレーザー走査顕微鏡装置に係る実施例３を示すブロック図である。
【図５】本発明のレーザー走査顕微鏡装置に係る実施例５に適用される空間変調器を示す図であって、（Ａ）は空間変調器の模式図であり、（Ｂ）は空間変調器に印加される電圧、電流のパターンを示す図である。
【発明を実施するための形態】
【００３４】
以下に、本発明に係るレーザー走査顕微鏡装置の実施例１から実施例５を各図面に基づき、詳細に説明する。
【実施例１】
【００３５】
本発明に係るレーザー走査顕微鏡装置の実施例１を、以下に図面を参照しつつ説明する。
図１は、本実施例に係るレーザー走査顕微鏡装置の構成を示すブロック図である。まず、レーザー光がそれぞれ出射されるレーザー光源１１及びレーザー光源１２を含む合成光学系１について述べる。合成光学系１内のレーザー光源１１及びレーザー光源１２は、それぞれHe-Ne等のガスレーザー、半導体レーザー、もしくは固体レーザーであり、コヒーレント光をそれぞれ発生する。
【００３６】
ここでレーザー光源１１とレーザー光源１２は、相互に近接した波長のレーザー光を発生するような、たとえば523nmと532nmの波長をそれぞれ有する半導体レーザーとすることが考えられる。そして、これらのレーザー光の光軸を、合成光学系１内に存在する合成プリズム１３によって以降の光学系の光軸Ｌに合わせるようにする。
【００３７】
なお、この合成プリズム１３はハーフミラーで構成しても良いが、この場合には５０％程度の光量のロスが発生する。これに対して、それぞれのレーザー光を直交する直線偏光の光とすると共に、合成プリズム１３を偏光ビームスプリッターにすれば、光の利用効率は１００％近くになる。ただしこの場合、合成プリズム１３から出射された光は、直交した直線偏光の光となるので、円偏光に変換する１／４波長板を合成プリズム１３に近接して配置する必要がある。これに伴い、光に変調を加える素子として音響光学素子を用いた場合、直線偏光の光で最大効率となる。従って、この場合も音響光学素子から出射される光は、５０％程度になる。以上のように本実施例の合成光学系１はいくつかの手法により実現できる。
【００３８】
本実施例では、各レーザー光をそれぞれ二つに分離するための光変調器である音響光学素子（ＡＯＤ）３が採用されていて、図１に示すように合成光学系１とこの音響光学素子３との間に、光学系としてコリメーターレンズ２が配置されている。他方、この音響光学素子３は、信号発生器であるＡＯＤドライバー４が接続されていて、このＡＯＤドライバー４により音響光学素子３は動作される。そして、これらレーザー光源１１、１２およびＡＯＤドライバー４は、図示しない制御基板にそれぞれ接続されていて、この制御基板により動作がそれぞれ制御されるようになる。これに伴い、キャリア交流信号としての周波数fcと正弦波信号としての変調周波数fmを制御基板に内蔵の信号発生器がＡＯＤドライバー４に対して印加する。
【００３９】
以上の構成から本実施例では、これら各レーザー光源１１、１２からのレーザー光をコリメーターレンズ２により平行光束にし、音響光学素子３に入射させる。このとき、レーザー光の入射ビーム径は、後述の瞳伝達レンズ系５との兼ね合いより、絞り機構（図示せず）等を用いて適正化しておくことにする。さらに、この音響光学素子３には、上記ＡＯＤドライバー４より、sin(2πfct)sin(2πfmt)のようなＤＳＢ変調信号が変調信号として加えられる。
【００４０】
この様な変調を行うと、fc+fmとfc-fmの２つの周波数変調が加えられたことになる音響光学素子３は、ブラッグ回折格子のピッチdに相当する音波の粗密波を発生する。すなわち、超音波の速度をVa、印加する周波数をfとすると、d=Va/fとなる。具体的には、この粗密波により、音響光学素子３に入射されたレーザー光であるビームは、±１次回折光に分離され、各々の回折光は周波数fc±fmの周波数で変調される。たとえば、音響光学素子３の材料としてTeO2が用いられるが、この材料の音速は、660ｍ/sである。
【００４１】
キャリアー周波数の周波数fcとして４０MHzを選択すると、d=16.5μｍとなり、He-Neレーザーをレーザー光源１１、１２に用いた場合、回折角θは2.198度程度の角度になる。図１においては、光軸Ｌが変化していないように図示してあるが、実際には音響光学素子３以降の光学系を回折角θだけ傾けておくか、２次元走査デバイス６にバイアスを付与して、回折角θの傾きを実効上与えておくことにする。このキャリアー周波数に４ＭＨz程度の周波数fmを加えると、±１次回折光はθ＝2.417度とθ＝1.978度となり、４４ＭＨzと３６ＭＨzでそれぞれ変調されることになる。
【００４２】
この一方、本実施例では、この音響光学素子３に対して２枚のレンズからなる瞳伝達レンズ系５、入力されたレーザー光を２次元走査する走査光学素子である２次元走査デバイス６、入力されたレーザー光を分離して出射するビームスプリッター７が順に並んで配置されている。
【００４３】
次に、瞳伝達レンズ系５を拡大レンズ系で構成した場合を考え、一波長での原理的な説明を行う。
瞳伝達レンズ系５に入射した光は、拡大率分だけお互いの角度差を減じることができる。音響光学素子３とビームスプリッター７との間に配置されている瞳伝達レンズ系５は、音響光学素子３の出射面位置を次の２次元走査デバイス６の図示しない走査素子面に共役にするための光学系であり、また、拡大することにより、±１次回折光の出射角度差を小さくしている。例えば、拡大率をｍ倍にすれば、角度のタンジェントの比として、1/mにすることができる。従って、音響光学素子３の変調周波数ｆｍを高くしても、拡大率ｍを調整することで、２つのレーザー光であるビームを近接させることができる。
【００４４】
さらに、このビームスプリッター７に隣り合って、２組のレンズからなる瞳伝達レンズ系１０が位置し、この隣に対物レンズ１７が対象物Ｓと対向して配置されている。つまり、これら各部材が光軸Ｌに沿って並んでいることになる。
【００４５】
このため、瞳伝達レンズ系５を通過した光は、２次元走査デバイス６に送られビームスプリッター７で一部分離されるが、このビームスプリッター７を介した２次元走査デバイス６からの光は、対物レンズ１７の瞳位置に共役にする瞳伝達レンズ系１０により、対物レンズ１７に角度差が小さくなった±１次回折光として入射する。この結果として、拡大率を適正にして、±１次回折光同士の距離を十分に小さくすれば、図２の実線で示すビームＬＡおよび点線で示すビームＬＢのように、非常に接近して相互に同一径とされる２つのビームを得ることができる。
【００４６】
また、これら２つのビームＬＡ、ＬＢの有する周波数は、「光の振動数＋キャリア周波数fc±変調周波数fｍ」となる。２つの接近したビームの中心距離を上記したように回折限界以下に設定した場合、各々のビームは、アッべの理論の回折限界以下にはならないが、わずかにずらした各々別の周波数の光であるために、ヘテロダイン検波をすることにより、微分情報を取得することができる。
【００４７】
図１および図２に示す対象物Ｓで反射されたこの２つのビームＬＡ、ＬＢは、対物レンズ１７、瞳伝達レンズ系１０およびビームスプリッター７を介して、分離光学素子９０に入射される。そして、この分離光学素子９０で分離されて第２の受光素子群である受光素子９１や受光素子９３に導かれる。これら受光素子９１、９３を２次元走査デバイス６の位置と共役な位置に配しておくと、２つのビームＬＡ、ＬＢは同じ位置に戻るので、２つのビームＬＡ、ＬＢの位相差δがビート信号として検出される。
【００４８】
さらに、図１に示す受光素子９１及び受光素子９３をそれぞれ２分割以上の分割受光素子９１Ａ、９１Ｂ、９３Ａ、９３Ｂとし、図２に示す光軸Ｌを境界線Ｃとして、この境界線Ｃを挟んでビームの分離方向に対して垂直な方向に暗線を有するように、これら分割受光素子９１Ａ、９１Ｂ、９３Ａ、９３Ｂを配置し、その和信号あるいは差信号より、ビート信号を取得させる。この時、和信号を用いると、実質的に微分干渉顕微鏡と等価になり、差信号を用いるとはるかに高い横分解能が得られる。
【００４９】
次に、対象物Ｓに送られる光の性質について具体的に説明する。
対物レンズ１７で絞られた光は、図２に示すように近接した２つのビームＬＡ、ＬＢとなり、対象物Ｓに送られる。なお、ビームＬＡの複素振幅EaおよびビームＬＢの複素振幅Ebは、下記式のようになる。
Ea=Aexpj(2π(fo+fc+fm)ｔ)
Eb=Bexpj(2π(fo+fc-fm)ｔ＋δ)
この複素振幅Ebの式のδは、ビームＬＡを基準としたビームＬＢの高さ方向の位相差を表わし、foは光の周波数を表す。なお、前述したようにこの２つのビームの間隔は、音響光学素子３に加えた変調周波数ｆｍによって決定されるので、走査速度とは無関係である。
【００５０】
また、前述の受光素子９１、９３は、光電変換された各々のビート信号を作成する光電変換部（図示せず）を有した構造とされていて、これら受光素子９１、９３上における２つのビームＬＡ、ＬＢの強度Iは、下記式に基づく値で受光素子９１、９３の光電変換部により検出され、スイッチャー１４を介して位相比較器である信号比較器１５に送られる。
I=(Ea+Eb)(Ea+Eb)*=A2+B2+2ABcos(2π*2fmｔ＋δ)
これに伴い、図１に示す位相比較器である信号比較器１５を用いて、周波数2fmのヘテロダイン検波の位相比較を行うことにより、位相差δを測定することができる。このようにして、位相情報を取得する。
【００５１】
以上のようにすれば、変調周波数fmを高くし、かつ、ビームを非常に接近させることができるので、横分解能を高くすることができると同時に、データの取得を高速に行うことができる。なぜならば、位相比較を行う時間は、変調周波数fmに逆比例するので、たとえば、ビデオレート（水平走査周波数約１５ＫＨz）で、１０００点以上のデーターを取得しようとすれば、1点の情報取得の周波数は１５ＭＨzとなる。例えば、変調周波数fmを８ＭＨzにすれば、ビート周波数は、１６ＭＨzとなるので、十分にビデオレートで情報取得をすることができる。
【００５２】
ここで、分離光学素子９０とビームスプリッター７を挟んで対向して分離光学素子８０が配置されている他、受光素子９１、９３とビームスプリッター７を挟んで対向して第１の受光素子群である受光素子８１、８３が配置されている。そして、これら受光素子８１、８３も、図示しない光電変換部を有した構造とされているだけでなく、それぞれ２分割以上の分割受光素子８１Ａ、８１Ｂ、８３Ａ、８３Ｂにより構成されている。この際、これら分割受光素子８１Ａ、８１Ｂ、８３Ａ、８３Ｂは、図２に示す光軸Ｌを境界線Ｃとして、この境界線Ｃを挟んでビームの分離方向に対して垂直な方向に暗線を有するように、配置されている。
【００５３】
なお、前述と同様にこれら受光素子８１、８３はビームスプリッター７で入射ビームの一部を取り出した光路上に音響光学素子３の回折光出射面と共役な位置になるように配置される。但し、分離光学素子８０の他に、図示していないものの必要であれば瞳伝達レンズ系１０と同様なレンズ系をビームスプリッター７と受光素子８１、８３の間に挿入しても良い。
【００５４】
以上のことから、光軸Ｌが通過する方向に対して直交する方向であってビームスプリッター７の両隣の位置には、それぞれセンサである受光素子８１、８３と受光素子９１、９３とが配置されている。これら受光素子８１、８３、９１、９３が、受光素子８１、８３、９１、９３からのそれぞれの信号を切り替えるスイッチャー１４にそれぞれ接続されている。そして、このスイッチャー１４が受光素子８１、８３、９１、９３からの信号を比較する信号比較器１５にそれぞれ接続され、この信号比較器１５が、最終的にデータを処理して対象物Ｓのプロフィル等の情報を得るためのデータ処理部１６に繋がっている。
【００５５】
以上より、音響光学素子３で生じる回折光の入射ビームのビート信号がこの受光素子８１、８３に入射されて、受光素子８１、８３の光電変換部により検出される。つまり、音響光学素子３までに光学系等で生じた位相差を受光素子８１、８３の光電変換部により検出することになるので、この受光素子８１、８３は位相の基準を与える役割をしている。
【００５６】
この一方、前述のようにビームＬＡとビームＬＢの２つのビーム間の位相差情報を加えたビート信号が、受光素子９１、９３内の光電変換部により求まり、スイッチャー１４を介して信号比較器１５に送られる。したがって、信号比較器１５においてこの２つの位相比較を行うことにより、真の位相差δが検出されることになる。この真の位相差δは、ビームＬＡとビームＬＢの平均の位相差、すなわち、平均の高さｈの差情報であるδｈ＝λδ/4πとなる。この情報をデータ処理部１６で平面の走査情報とともに記録していき、表面のプロファイル情報を簡単に導くことができる。ここで、λはレーザー光源１１、１２からのレーザー光の波長を表す。
【００５７】
この信号比較器１５と接続されたＣＰＵやメモリ等からなるデータ処理部１６にこれらの情報を送り込めば、データ処理部１６でこの情報を平面の走査情報とともに記録していき、対象物Ｓの表面のプロファイル情報を簡単に導くことができる。
【００５８】
ここで、計測される位相差δについて考えると、2πの不確定値のあることがわかるので、これについて、以下に説明する。
１つのレーザー光による一波長を用いた一連の流れを述べてきたが、本実施例では、合成光学系１にて合成された２種類の波長のレーザー光を用いている。このため、２つの波長を用いた場合の光学系と効果を以下に具体的に述べる。
【００５９】
まず、上記のように近接した波長を有する２つのレーザー光をビームスプリッター７により本来の光軸Ｌから分離し、さらに分離光学素子８０にて２つの波長の光に分離させる。この分離光学素子８０は、例えばハーフミラーと狭帯域のバンドパスフィルターの組み合わせ等により実現できる。この様にしたことで、上記した532nmの光は、受光素子８１に導かれ光電変換部で光電変換された信号がスイッチャー１４に送られる。また、上記した523nmの光は、受光素子８３に導かれ光電変換部で光電変換された信号がスイッチャー１４に送られる。
【００６０】
同様に、被測定物である対象物Ｓで反射した光も、対物レンズ１７、瞳伝達レンズ系１０、 ビームスプリッター７を経て、分離光学素子９０に導かれる。この分離光学素子９０は、上記した分離光学素子８０と同様の作用をするので、532nmの光は、受光素子９１に導かれ光電変換部で光電変換された信号がスイッチャー１４に送られる。また、523nmの光は、受光素子９３に導かれ光電変換部で光電変換された信号がスイッチャー１４に送られる。
【００６１】
このスイッチャー１４は、受光素子８１、８３、９１、９３からのそれぞれの信号を切り替える役割を行い、それぞれの信号を信号比較器１５に送る。信号比較器１５では、ヘテロダイン検波をし、直交変換やＩＱ変換をし、それぞれの位相を検出し、データ処理部１６に送る。データ処理部１６では、それぞれの波長ごとの真の位相θ１、θ２（測定位相−基準位相）を算出し、２次元走査情報とともに記録する。
【００６２】
ここで、真の位相θ１、θ２は、それぞれ下記のようになる。
θ１＝2πｄｎ/λ１
θ２＝2πｄｎ/λ２
この結果として、θ１とθ２を測定すれば、下記の波長λと等価な波長を実質的に与えたことになる。
λ＝λ１λ２/|λ１−λ２|
すなわち、523nmと532nmの場合には、30915nmの波長に相当する。従って、対象物Ｓの位相差を±πまで深さ、屈折率分布測定等へ適用できるとすれば、深さは±15000nm程度の測定が可能となる。
【００６３】
このままの位相情報を使用しても良いが、位相θ１と位相θ２の差の情報を、あくまでθ１あるいはθ２が２πの整数倍値ｍを同定することに使用するとすれば、位相θ１、θ２は以下のようになる。
θ１＝2π＊ｍ+Θ１
θ２＝2π＊ｍ+Θ２
このことから、θ１−θ２は以下のように求まる。
θ１−θ２＝2πｄｎ（1/λ１−1/λ2）
この式より、ｄを算出し、ｍを決定し、θ１あるいはθ２のそれぞれの位相からdを算出しなおしても良い。
【００６４】
このようにすると、θ１−θ２より導いた位相は、精度を落としてもよく、たとえば、15000/532=28.19、すなわち、おおよそ１８０度を３０分割程度とした約６度ぐらいの測定精度で整数倍値は与えられる。この後、θ１およびθ２の位相より導いた値を平均化するなどの処理を施すことにより、測定精度を向上させることが可能となる。この結果、測定レンジが広く、かつ、測定精度も高い検出が可能となる。また、近接したレーザー光を同時に対象物Ｓに照射しているので、データ処理を高速に行うことができる。
【００６５】
他方、２つの波長を同時に照射する光学系を用いることなく、瞬間的にはいずれかの波長を照射するようにすることで、同様な効果をもたらすことが出来る。以下、このような方法について具体的に述べる。
すなわち、図１において、分離光学素子８０及び、受光素子８１または受光素子８３のどちらか一つを省き、さらに分離光学素子９０及び、受光素子９１または受光素子９３のどちらか一つを省くことにする。このようにして、たとえば１つの波長で走査範囲全域を走査した後、波長を切り替えて他の波長で走査範囲全域を走査する。これは、ビデオレートの走査の場合、フレームごとに切り替えることに相当する。この結果として得られた真の位相θ１、θ２を基にして、上記した方法によって面外の測定レンジの拡大を行うことができる。
【００６６】
この場合、２波長を同時に照射していないので、同時照射に比較して２倍程度の処理時間を要するが、光学系が簡素になる利点を有する。ただし、波長切り替えをフレームごとに行わず、１ラインあるいはドットごとに切り替え、データ処理部１６で合成しても良い。
以上のように、２つの波長を同時に照射しなければ、上記と実質上同様の効果をもたらすことができることになる。
【００６７】
尚、上記実施例は、瞳伝達レンズ系５を拡大レンズ系で構成した例であったが、この瞳伝達レンズ系５は通常の瞳伝達レンズ径にしても測定レンジの拡大については、同様な効果をもたらすことになる。ただし、瞳伝達レンズ系５を拡大レンズ系で構成すると、高速な処理が可能になる利点がある。また、さらに高速なデータ取得をするには、できるだけVaの大きい音響光学素子を用い、拡大倍率を適正化することにすれば良い。
【００６８】
このような光学系を用いることにより、３次元計測データをビデオレート以上の高速で取得することが可能で、かつ、面外の測定レンジも拡大することができる。したがって、本実施例のレーザー走査顕微鏡装置によれば、細胞や微生物の状態変化や表面状態の過渡的な変化等を、高速に観察、計測することができる。
【００６９】
さらに、製品化されている裸眼立体ディスプレイや偏光めがねを使用した３次元ディスプレイ等を用いることにより、ビデオレートの３次元立体画像を表示することもできるので、教育や研究、医療において、有用な装置とすることができる。また、２つのビームの重なりの程度をビーム径よりも小さくしてあるので、２つのビームの行路差はほとんど生じていない。したがって、外乱や振動の影響も２つのビームで、同時に生じるので、これらの影響が相殺される。
【００７０】
上記実施例では、ビームの分離度を個々のビーム径よりも非常に小さくした例を示したが、変調周波数を高くすることによりビームの分離度が大きくなるような場合であって、ビーム径程度の分離度が必要となる場合にも、本発明の光学系が有用であることになる。尚、上記実施例においては、２次元走査デバイスの説明をしたが、単純な一方向だけのデータが必要なアプリケーションであれば、１次元走査デバイスに置き換えても同様な効果が得られることになる。
【００７１】
これらの１次元走査デバイスとしては、ガルバノミラーやレゾナントミラー、回転ポリゴンミラー等を用いることができる。また、２次元走査デバイスとしては、上記した１次元走査デバイスをＸ方向用とＹ方向用の２つを用意し、瞳伝達レンズ系を介すことにより、実現できる。さらに、マイクロマシーンの技術を用いたマイクロミラーデバイスを用いても良い。このデバイスとしては、１次元、２次元用ともに製品化されている。
【００７２】
以上において、主に高速にデータを取得する手段について述べたが、次に、横分解能を著しく増大させる手段について述べる。
【００７３】
簡単のために１次元で考える。まず、表面のプロファイルd(x)の位相分布をＡejθ(x)とおく。ここで、θ(x)＝2πｄ(x)/λである。本実施例のように反射の場合には、光路差は２倍になるので、観測されるθ(x)の半分を高さ情報とすればよい。
さて、上記のように音響光学素子３にキャリア信号fcと変調信号fmの掛け算信号（ＤＳＢ変調）を与えると、実質上、回折光は２つの僅かに分離したfc±fmの周波数を持った光となる。対物レンズ１７で収束されるとΔｘだけ分離した２つのビームとなり、各ビームプロファイルをu(x)とする。この場合、対物レンズ１７から離れた場所では、表面プロファイルとビームプロファイルの積のフーリエ変換となる。
【００７４】
本レーザー走査顕微鏡装置においては、一方の受光素子で受光されるビームは、ej(ωc-ωm)tで変調を受けていることになり、中心距離Δxだけ離れた他方の受光素子で受光されるビームは、ej(ωc+ωm)tで変調を受けていることになる。従って、受光素子上の複素振幅分布は、以下のようになる。
Ｅ＝∫(Ａejθ(x) u(x)ejkxdx・ej(ωc-ωm)t＋Ａejθ(x+Δx) u(x)ejkxdx・ej(ωc+ωm)t)
【００７５】
これら受光素子により強度Ｉの検出を行うと、Ｉ＝ＥＥ*、さらに、２ωｍのヘテロダイン検波を行うので、以下の（１）式のようになる。
Ｉ(k)＝Ａ2∫ej(θ(x)-θ(x'+Δx') u(x) u(x’) ejk(x-x')dxdx’e-j2ωmt
＋Ａ2∫e-j(θ(x)-θ(x'+Δx') u(x) u(x’) ejk(x-x')dxdx’ej2ωmt・・・・・（１）式
【００７６】
そして、２つのビームＬＡ、ＬＢの重なっている照射領域Ａ，Ｂのほぼ中心を図３の境界線Ｃとし、この境界線Ｃを挟んだ位置であって、ビームＬＡ、ＬＢの分離方向である各々の照射領域Ａ，Ｂの分離方向に沿った位置に対応して２つの受光素子を対象物Ｓから離して配置する。
ここでまず、２つの受光素子の和信号がどのようになるかを考える。対象物Ｓから離れた位置では、フーリエ変換面であると考えられるので、受光素子で受光できる最大空間周波数をＫmaxとすると、和信号では強度Ｉが下記式から求められる。
Ｉ＝∫Ｉ(k)ｄｋ（積分範囲は-KmaxからKmax）
＝Ａ2∫cos(θ(x)−θ(x’+Δx’)−２ωｍｔ) u(x) u(x’)sin(Kmax(x-x’))/(x-x’)dxdx’
【００７７】
受光素子を近接させてより広い空間周波数まで受光するように配置すると、
sin(Kmax(x-x’))/(x-x’)＝Ｋδ(x-x’)となるので、以下の（２）式のようになる。
Ｉ＝Ａ2∫cos(θ(x) −θ(x+Δx) −２ωｍｔ) u(x)2ｄｘ・・・・・（２）式
【００７８】
すなわち、２つのビームの分離位置の位相差をビームプロファイルのウェイトで積分したことになる。
（２）式を変形すると下記の式を得る。
Ｉq＝Ａ2∫cos(θ(x)−θ(x+Δx) u(x)2ｄｘ)・cos(２ωｍｔ)
Ｉi＝Ａ2∫sin(θ(x)−θ(x+Δx) u(x)2ｄｘ)・sin(２ωｍｔ)
【００７９】
従って、直交変換により、観測される位相差Θは以下の（３）式のようになる。
Θ＝tan-1(∫sin(θ(x)−θ(x+Δx)) u(x)2ｄｘ/∫cos(θ(x)−θ(x+Δx)) u(x)2ｄｘ)・・・・・（３）式
【００８０】
この一方、２つの受光素子の差信号を考えると、和信号の場合と同様にして下記の式が得られる。
Ｉ＝∫Ｉ(k)ｄｋ（積分範囲は０からKmax）−∫Ｉ(k)ｄｋ（積分範囲は−Kmaxから０）
＝Ａ2∫sin(θ(x)−θ(x’+Δx’)−２ωｍｔ) u(x) u(x’)( cos(Kmax(x-x’)-1)/(x-x’)dxdx’
【００８１】
受光素子を近接させたより広い空間周波数まで受光するように配置すると、
(cos(Kmax(x-x’)-1)/(x-x’)＝δ’(x-x’)+1/x(δ(x)-1)となるので、下記（４）式のようになる。
I=Ａ2∫d/dx(sin(θ(x)―θ(x+Δx)―２ωｍｔ) )u(x)2ｄｘ・・・・・（４）式
さらに、この（４）式を変形すると、下記のようになる。
Ｉq＝Ａ2∫d/dx(sin(θ(x)−θ(x+Δx)) u(x)2ｄｘ・cos(２ωｍｔ)
Ｉi＝−Ａ2∫d/dx(cos(θ(x)−θ(x+Δx)) u(x)2ｄｘ・sin(２ωｍｔ)
【００８２】
従って、直交変換により観測される位相差Θは以下の（５）式のようになる。
Θ＝tan-1(−∫d/dx(cos(θ(x)−θ(x+Δx)) u(x)2ｄｘ/∫d/dx(sin(θ(x)−θ(x+Δx))u(x)2ｄｘ)・・・・・（５）式
【００８３】
ここで、（３）式と（５）式の比較を行う。定性的には、以下の点がわかる。
まず、（３）式では、ビームの中心距離Δxだけ離れた２点の位相差をu(x)の重み関数で、平滑化した結果として得られる位相差を示しているので、ビーム内の平均的な位相差を示している。これは、微分干渉顕微鏡と等価な処理である。
【００８４】
他方、（５）式では、ビームの中心距離Δxだけ離れた２点の位相差の微分に対して、u(x)の重み関数で、平滑化しているので、おおよそ元の関数を復元していることになる。従って、ビームを走査するとビーム分離度に相当する横分解能で、位相差および位置情報を取得することが可能となる。
【００８５】
ここでは、２分割の分割受光素子を適用した場合を記述したが、照射領域Ａ，Ｂの重なった領域の中心付近に、２つのビームの分離方向に沿って複数の受光素子を対象物Ｓから離して配置した場合も同様になる。特に、差出力を得る場合には、光軸Ｌの中心付近に対応して配置した複数の受光素子のうちの、対応する複数の受光素子間同士で差演算するようにすれば良い。また、複数の受光素子の和出力だけを用いるのであれば、実質上１つの受光素子を用いることで、同様のことが実現できることになる。
【００８６】
また、上記実施例では、２つの僅かに異なる波長(523,532nm)を用いて説明したが、相互に波長の異なる３以上のレーザー光を用いても同様なことが出来ることになる。この場合には、分離光学素子が多少複雑になり受光素子等も増えるが、たとえば使用する波長を３つにしたときであっても、３波長のうち２つを使用して位相を算出すると共に、選択する２波長の組み合わせを変えて位相を算出し、それらの平均化を行うなどすれば、測定精度の向上につながる。以下の実施例においては、この点を踏まえ、すべて２つの波長を用いた場合のみを記述する。
【００８７】
以上述べたように、フーリエ変換面にて空間周波数情報を処理することにより、特に差演算では非常に高い横分解能の向上をもたらすことができる。
【実施例２】
【００８８】
本実施例は、実施例１で受光素子８１、８３により得ていた基準位相を別の手段で簡易に取得するものである。
実施例１の分離光学素子８０及び受光素子８１、８３を取り払い、対象物Ｓがない状態、あるいは対象物Ｓがあってもかなりデフォーカスした状態で、２波長のレーザー光を同時に照射しつつ２次元走査デバイス６により、これらレーザー光を走査する。
【００８９】
スイッチャー１４は、受光素子９１、９３からのそれぞれの信号を切り替える役割をし、それぞれの信号を信号比較器１５に送る。信号比較器１５では、ヘテロダイン検波をし、直交変換やＩＱ変換を行い、それぞれの位相を検出し、データ処理部１６に送る。この位相情報は、光学系、電気系の有する位相ずれであるので、これを基準値とする。データ処理部１６では画面内の位置情報とともに位相をメモリーに蓄えておくことにする。
【００９０】
次に、対象物Ｓがある場合、もしくは対象物Ｓがありフォーカスした状態で、同様に位相を検出する。その後、データ処理部１６で、それぞれの波長ごとの真の位相θ１、θ２（測定位相−基準位相）を算出し、２次元走査情報とともに記録する。この場合、受光素子が不要になるとともに、対象物Ｓを観測する前に補正値を求めておくようにすれば、精度の高い計測が可能となる。
【００９１】
他方、分離光学素子９０、受光素子９３をさらに取り払い、実施例１で述べたように２波長同時照射を行わず、瞬間的にはいずれかの波長を照射するようにしても、面外の測定レンジの拡大を実現することが出来る。
【実施例３】
【００９２】
本実施例においては、実施例１で述べた反射光学系を透過光学系に置き換えた場合の実施例を示す。
図４は、この透過型のレーザー走査顕微鏡装置に係る光学系のブロック図を示している。主要な光学系は実施例１と同じなので説明を割愛するが、図４に示す本実施例では、対物レンズ１７で集光された光は透過することになるので、対象物Ｓを挟んで対物レンズ１７と対向して、図示しない光電変換部を有した受光素子９１、９３が配置されることが特徴である。そして、これら受光素子９１、９３は、光軸Ｌを中心として音響光学素子３によりビームが分離された方向に沿ってそれぞれ設置された、少なくとも２つ以上の分割受光素子９１Ａ、９１Ｂ、９３Ａ、９３Ｂから成る。
【００９３】
この構造の場合、音響光学素子３により分離された２つのビームの分離方向に対して受光素子９１、９３を構成する各分割受光素子の暗線が垂直方向に伸びるように、光軸Ｌの延長線上に各分割受光素子９１Ａ、９１Ｂ、９３Ａ、９３Ｂを配置することにする。本実施例によれば、反射型に比較して、対象物Ｓに近接して受光素子を配置することができるので、取得できる空間周波数を非常に高く設定することが可能となる。
【００９４】
この結果、対象物Ｓの有する空間周波数の再現性が良くなるので、横分解能の更なる向上が可能となる。特に、生きたままの状態で、生物や細胞等の観察や計測を非常に高分解能で実施できる。これは、電子顕微鏡のような高倍率であっても生体を殺した状態でないと観測できない測定器とは大きく異なる特徴である。
【００９５】
他方、分離光学素子９０及び受光素子９３をさらに取り払い、実施例１で述べたように、２波長同時照射を行わず、瞬間的にはいずれかの波長を照射するようにしても、面外の測定レンジの拡大を実現することが出来る。この場合、分離光学素子９０を取り除いてあるので、受光素子９１を対象物Ｓにさらに近づけることで、取得できる空間周波数を非常に高く設定することが可能となる。
【００９６】
この結果、対象物Ｓの有する空間周波数の再現性がさらに良くなるので、横分解能の更なる向上が可能となる。特に、生きたままの状態で、生物や細胞等の観察や計測を非常に高分解能で実施できる。
【実施例４】
【００９７】
本実施例は、実施例１で受光素子８１、８３より得ていた基準位相を実施例２のようにメモリーを用いて予め取得する点と透過光学系にて情報を取得する組み合わせたことが特徴である。
本実施例の場合、２次元走査で位相情報を取得することができるが、特に、マイクロ流路に細胞等を流す場合のモニターや細胞形状の判断を行った後に細胞を種わけする等の応用に対して、絶大な効果をもたらす。
【００９８】
すなわち、マイクロ流路は一方向に細胞等を流す素子であるので、実施例１の２次元走査デバイス６の代わりに流路の方向に垂直な方向に走査する１次元走査デバイスを用意すればよい。この様にすれば、基準位相は１次元走査方向のみの非常に少ない点に関する位相をメモリーしておけばよいことになる。また、光学系も簡素になる。
【００９９】
他方、分離光学素子９０及び受光素子９３をさらに取り払い、実施例１で述べたように、２波長同時照射を行わず、瞬間的にはいずれかの波長を照射するようにしても、面外の測定レンジの拡大を実現することが出来る。この場合には、極めて簡素な光学系とすることが出来る。
【実施例５】
【０１００】
本実施例においては、変調を加えるための部材として、変調を加える音響光学素子３の代替に空間変調器を用いることが特徴である。
図５は、本実施例で適用される空間変調器を示した概念図である。この図５（Ａ）に示すような空間変調器５３を構成する磁性ガーネット膜５３Ａをピクセルごとに電圧または電流により駆動できるように、電極（図示せず）を付して、この空間変調器５３を図１における音響光学素子３の位置に配置する。そして、磁性ガーネット膜５３Ａの各ピクセルに電圧、電流を印加することで、磁気光学効果によって各ピクセルの偏光面が回転するが、この偏光面の回転の程度は、印加する電圧、電流の大きさにより決定される。このような構造の空間変調器５３として、ピクセル数が１２８×１２８であり、１５nsの応答速度を有しているものがある。
【０１０１】
この空間変調器５３を図１における音響光学素子３の位置に配置するが、これに伴い、図１のビームスプリッター７を通過した光の強度または位相が、短冊状の正弦格子となるように、この空間変調器５３に走査方向に対して垂直方向に、図５（Ｂ）に示す形で電圧または電流を各ピクセルに印加する。この際、各ピクセルに対して位相のずれた周波数ｆｍ＝±2πｖ/dの単振動をさせることで、速度ｖでこの格子を移動させることができる。
【０１０２】
つまり、この正弦波状の格子のピッチをd、移動速度をｖとすると、下記式となる。
Acos｛2π/d（x−vt）｝＝A/2(expj｛2π/d（x−vt）｝＋expj｛−2π/d（x−vt）｝)
このため、±１次回折光がｆｍ＝±2πｖ/dの変調周波数を有することになる。尚、強度の場合には、０次の直流成分が生じるが、ＤＣ成分なので、ビート信号に影響はない。
【０１０３】
ここで、±１次回折光は、実施例１と同様に正弦格子のピッチと瞳伝達レンズ系の倍率により、ビームが所望の程度重なる程度とする。また、変調周波数ｆｍが８MHｚ程度になるように速度ｖを決めれば、実施例１と同様な効果を得ることができる。空間変調器５３の応答速度は1５nsとしたが、現状の空間変調器はデジタル的に２値となっている。
【０１０４】
しかしながら、アナログ的に変調することは可能であり、そのときの応答速度も１桁程度悪化する可能性がある程度であり、瞳伝達レンズ系と併用することにより、十分に８MHｚ以上の変調周波数を得ることは可能である。この場合、実施例１と比較すると、瞳伝達レンズ系が簡素になる。なぜならば、変調周波数は、デバイスの応答速度で決まるが、格子のピッチをできるだけ大きくすると、ビームの分離度は小さくすることができる。
【０１０５】
したがって、最小の分離度は、デバイスの大きさによって決まるので、適正に選択すれば、瞳伝達レンズ系の拡大率を小さく、または、等倍にすることができる。このようにすれば、光学系の全長を短くすることが可能となる。なお、上記した空間変調器のピクセル自体を図５（Ａ）に示した短冊状の形にすることにより、駆動回路等を簡素化することもできる。
【０１０６】
以上、本発明に係る実施の形態を説明したが、本発明は前述の実施の形態に限定されるものではなく、本発明の趣旨を逸脱しない範囲で種々変形して実施することができる。
【産業上の利用可能性】
【０１０７】
本発明は、レーザー光の走査によって不透明物体の表面形状の観察及び計測、透明物体の表面または内部構造の観察及び計測を高速に行うレーザー走査顕微鏡装置だけでなく、さまざまな種類の顕微鏡に好適なものである。
【符号の説明】
【０１０８】
１    合成光学系
２    コリメーターレンズ
３    音響光学素子
４    ＡＯＤドライバー
５    瞳伝達レンズ系
６    ２次元走査デバイス
７    ビームスプリッター
１０    瞳伝達レンズ系
１１    レーザー光源
１２    レーザー光源
１３    合成プリズム
１４    スイッチャー
１５    信号比較器
１６    データ処理部
１７    対物レンズ
５３    空間変調器
５３Ａ  磁性ガーネット膜
８０    分離光学素子
９０    分離光学素子
８１，８３，９１，９３    受光素子
Ｓ    対象物
【図１】
2014071432.tif 000003
【図２】
2014071432.tif 000004
【図３】
2014071432.tif 000005
【図４】
2014071432.tif 000006
【図５】
2014071432.tif 000007